(57)【要約】【課題】カードを搬送する搬送ローラとしてゴム輪と芯部材とを有するゴムローラを備えるカードリーダにおいて、搬送ローラの組立時にゴム輪を芯部材に容易に嵌めることが可能であっても、組立後のカードリーダで比較的硬度の低いゴム輪が芯部材から外れるのを防止することが可能なカードリーダを提供する。【解決手段】このカードリーダでは、カード搬送路４でカードを搬送するための搬送ローラ２４、２５は、搬送ローラ２４、２５の外周部を構成するゴム輪２６と、ゴム輪２６を保持する芯部材２７とを備えている。芯部材２７には、ゴム輪２６の一方の端面が接触する鍔部２７ａと、ゴム輪２６の他方の端面が接触する鍔部２７ｂとが形成されている。鍔部２７ｂの外径は、鍔部２７ａの外径よりも小さくなっており、カードリーダの本体フレーム５には、鍔部２７ｂと隣り合う壁面１８ａ、１９ａが形成されている。【選択図】図３
2020107261.tif 000002
【特許請求の範囲】
【請求項１】
カードが搬送されるカード搬送路が形成される本体フレームと、前記カード搬送路で前記カードを搬送するための搬送ローラとを備え、
前記搬送ローラは、円環状に形成され前記搬送ローラの外周部を構成するゴム製のゴム輪と、前記ゴム輪の内周側で前記ゴム輪を保持する芯部材とを備え、
前記芯部材には、前記ゴム輪の一方の端面が接触する第１鍔部と、前記ゴム輪の他方の端面が接触する第２鍔部とが形成され、
前記第２鍔部の外径は、前記第１鍔部の外径よりも小さくなっており、
前記本体フレームには、前記第２鍔部と隣り合う壁面が形成されていることを特徴とするカードリーダ。
【請求項２】
前記第１鍔部および前記第２鍔部は、前記搬送ローラの周方向の全域に形成されていることを特徴とする請求項１記載のカードリーダ。
【請求項３】
前記搬送ローラが取り付けられるとともに前記搬送ローラと一緒に回転する回転軸を備え、
前記本体フレームは、前記カード搬送路で搬送される前記カードの幅方向における前記本体フレームの一方の側面を構成するとともに前記回転軸の一端側を回転可能に支持する第１側板と、前記カードの幅方向における前記本体フレームの他方の側面を構成するとともに前記回転軸の他端側を回転可能に支持する第２側板とを備え、
前記回転軸の両端側のそれぞれに前記搬送ローラが取り付けられ、
前記回転軸の両端側に取り付けられる２個の前記搬送ローラの前記第１鍔部は、前記カードの幅方向において前記ゴム輪の内側に配置され、
前記カードの幅方向における前記第１側板および前記第２側板の内側面が前記壁面となっていることを特徴とする請求項１または２記載のカードリーダ。
【請求項４】
前記芯部材は、樹脂で形成されていることを特徴とする請求項１から３のいずれかに記載のカードリーダ。
【請求項５】
前記芯部材は、前記ゴム輪の内周面が接触する外周面が形成される基部を備え、
前記第１鍔部および前記第２鍔部のいずれか一方は、前記基部と一体で形成され、
前記第１鍔部および前記第２鍔部のいずれか他方は、前記基部と別体で形成され、前記基部に固定されていることを特徴とする請求項１から４のいずれかに記載のカードリーダ。
【請求項６】
前記ゴム輪の内周面には、前記ゴム輪の径方向の内側に向かって突出する複数の突起が形成され、
前記芯部材には、前記突起が係合する複数の凹部が形成されていることを特徴とする請求項１から５のいずれかに記載のカードリーダ。
【発明の詳細な説明】
【技術分野】
【０００１】
本発明は、カードに記録されたデータの読取りやカードへのデータの記録を行うカードリーダに関する。
【背景技術】
【０００２】
従来、カードに記録されたデータの読取りやカードへのデータの記録を行うカードリーダが知られている（たとえば、特許文献１参照）。特許文献１に記載のカードリーダは、カード搬送路でカードを搬送するための搬送ローラと、搬送ローラを駆動するためのローラ駆動機構と、搬送ローラに対向するとともに搬送ローラに向かって付勢されるパッドローラとを備えている。搬送ローラは、上側からカード搬送路に臨むように配置され、パッドローラは、下側からカード搬送路に臨むように配置されている。
【０００３】
特許文献１に記載のカードリーダでは、搬送ローラは、搬送ローラの外周部を構成するゴム製のゴム輪と、ゴム輪の内周側でゴム輪を保持する芯部材とを備えるゴムローラである。芯部材には、芯部材からのゴム輪の抜けを防止するための鍔部が形成されている。具体的には、芯部材には、ゴム輪の一端面が接触する鍔部と、ゴム輪の他端面が接触する鍔部とが形成されている。
【先行技術文献】
【特許文献】
【０００４】
【特許文献１】特開２００９−２３０７４６号公報
【発明の概要】
【発明が解決しようとする課題】
【０００５】
カードリーダの中には、たとえば、上側からカード搬送路に臨むゴムローラと下側からカード搬送路に臨むゴムローラとの芯間距離が固定されているものがある。このカードリーダの場合、ゴムローラのゴム輪の外径を若干大きめに設定するとともに、ゴム輪の硬度を比較的低く設定しないと、ゴムローラとカードとの間で滑りが生じてカードを適切に搬送できなくなるおそれがある。
【０００６】
一方で、ゴムローラのゴム輪の硬度を下げると（すなわち、ゴム輪を柔らかくすると）、たとえば、カードの搬送時に予期せぬ外力がゴム輪に作用したときに、芯部材からゴム輪が外れるおそれがある。芯部材からのゴム輪の外れを防止するためには、芯部材に形成される鍔部の外径を大きくすれば良いが、鍔部の外径を大きくすると、ゴムローラの組立時にゴム輪を芯部材に嵌めにくくなる。
【０００７】
そこで、本発明の課題は、カード搬送路でカードを搬送するための搬送ローラとしてゴム輪と芯部材とを有するゴムローラを備えるカードリーダにおいて、搬送ローラの組立時にゴム輪を芯部材に容易に嵌めることが可能であっても、組立後のカードリーダで比較的硬度の低いゴム輪が芯部材から外れるのを防止することが可能なカードリーダを提供することにある。
【課題を解決するための手段】
【０００８】
上記の課題を解決するため、本発明のカードリーダは、カードが搬送されるカード搬送路が形成される本体フレームと、カード搬送路でカードを搬送するための搬送ローラとを備え、搬送ローラは、円環状に形成され搬送ローラの外周部を構成するゴム製のゴム輪と、ゴム輪の内周側でゴム輪を保持する芯部材とを備え、芯部材には、ゴム輪の一方の端面が接触する第１鍔部と、ゴム輪の他方の端面が接触する第２鍔部とが形成され、第２鍔部の外径は、第１鍔部の外径よりも小さくなっており、本体フレームには、第２鍔部と隣り合う壁面が形成されていることを特徴とする。
【０００９】
本発明のカードリーダでは、芯部材に形成される第２鍔部の外径が第１鍔部の外径よりも小さくなっている。そのため、本発明では、組立後のカードリーダにおいて比較的硬度の低いゴム輪が芯部材から第１鍔部側へ外れないように第１鍔部の外径が大きくなっていても、搬送ローラの組立時に第２鍔部側から芯部材にゴム輪を容易に嵌めることが可能になる。また、本発明では、第２鍔部と隣り合う壁面が本体フレームに形成されているため、搬送ローラの組立時にゴム輪を芯部材に容易に嵌めることが可能となるように第２鍔部の外径が小さくなっていても、組立後のカードリーダにおいて比較的硬度の低いゴム輪が芯部材から第２鍔部側へ外れるのを本体フレームの壁面によって防止することが可能になる。したがって、本発明では、搬送ローラの組立時にゴム輪を芯部材に容易に嵌めることが可能であっても、組立後のカードリーダにおいて比較的硬度の低いゴム輪が芯部材から外れるのを防止することが可能になる。
【００１０】
本発明において、第１鍔部および第２鍔部は、搬送ローラの周方向の全域に形成されていることが好ましい。このように構成すると、組立後のカードリーダにおいて、芯部材からゴム輪が外れにくくなる。
【００１１】
本発明において、カードリーダは、たとえば、搬送ローラが取り付けられるとともに搬送ローラと一緒に回転する回転軸を備え、本体フレームは、カード搬送路で搬送されるカードの幅方向における本体フレームの一方の側面を構成するとともに回転軸の一端側を回転可能に支持する第１側板と、カードの幅方向における本体フレームの他方の側面を構成するとともに回転軸の他端側を回転可能に支持する第２側板とを備え、回転軸の両端側のそれぞれに搬送ローラが取り付けられ、回転軸の両端側に取り付けられる２個の搬送ローラの第１鍔部は、カードの幅方向においてゴム輪の内側に配置され、カードの幅方向における第１側板および第２側板の内側面が壁面となっている。
【００１２】
この場合には、本体フレームの側面を構成する第１側板および第２側板を利用して、芯部材からゴム輪が第２鍔部側に外れるのを防止することが可能になる。したがって、芯部材からゴム輪が第２鍔部側に外れるのを防止するための部材が別途設けられている場合と比較して、カードリーダの構成を簡素化しつつ、芯部材からゴム輪が第２鍔部側に外れるのを防止することが可能になる。
【００１３】
本発明において、芯部材は、たとえば、樹脂で形成されている。
【００１４】
本発明において、芯部材は、ゴム輪の内周面が接触する外周面が形成される基部を備え、第１鍔部および第２鍔部のいずれか一方は、基部と一体で形成され、第１鍔部および第２鍔部のいずれか他方は、基部と別体で形成され、基部に固定されていることが好ましい。このように構成すると、第１鍔部および第２鍔部が基部と一体で形成されている場合と比較して、たとえば、芯部材を形成するための金型の構成を簡素化することが可能になる。
【００１５】
本発明において、ゴム輪の内周面には、ゴム輪の径方向の内側に向かって突出する複数の突起が形成され、芯部材には、突起が係合する複数の凹部が形成されていることが好ましい。このように構成すると、芯部材の外周面とゴム輪の内周面との間の滑りを防止することが可能になる。
【発明の効果】
【００１６】
以上のように、本発明では、カード搬送路でカードを搬送するための搬送ローラとしてゴム輪と芯部材とを有するゴムローラを備えるカードリーダにおいて、搬送ローラの組立時にゴム輪を芯部材に容易に嵌めることが可能であっても、組立後のカードリーダで比較的硬度の低いゴム輪が芯部材から外れるのを防止することが可能になる。
【図面の簡単な説明】
【００１７】
【図１】本発明の実施の形態にかかるカードリーダの斜視図である。
【図２】図１に示すカードリーダの構成を説明するための概略図である。
【図３】図２に示す搬送ローラおよび搬送ローラの周辺部分の構成を説明するための断面図である。
【図４】図３に示す搬送ローラの構成を説明するための断面図である。
【発明を実施するための形態】
【００１８】
以下、図面を参照しながら、本発明の実施の形態を説明する。
【００１９】
（カードリーダの全体構成）
図１は、本発明の実施の形態にかかるカードリーダ１の斜視図である。図２は、図１に示すカードリーダ１の構成を説明するための概略図である。
【００２０】
本形態のカードリーダ１は、カード２に記録されたデータの読取りやカード２へのデータの記録を行うための装置である。カードリーダ１は、カード２を搬送するカード搬送機構３を備えるカード搬送式のカードリーダである。カードリーダ１の内部には、カード２が搬送されるカード搬送路４が形成されている。カードリーダ１は、カード搬送路４が形成される本体フレーム５と、本体フレーム５に対して回動可能な開閉フレーム６とを備えている。
【００２１】
カード２は、たとえば、厚さが０．７〜０．８ｍｍ程度の矩形状の塩化ビニール製のカードである。カード２には、磁気データが記録される磁気ストライプが形成されている。また、カード２には、ＩＣチップが内蔵されており、カード２には、ＩＣチップの外部接続端子が形成されている。なお、カード２に通信用のアンテナが内蔵されても良い。また、カード２は、厚さが０．１８〜０．３６ｍｍ程度のＰＥＴ（ポリエチレンテレフタレート）カードや、所定の厚さの紙カード等であっても良い。
【００２２】
また、カードリーダ１は、カード２に記録された磁気データの読取りおよびカード２への磁気データの記録の少なくともいずれか一方を行う磁気ヘッド８、９と、カード２に形成されるＩＣチップの外部接続端子に接触する複数のＩＣ接点バネ１０を有するＩＣ接点ブロック１１と、カード２の表面の画像を読み取るイメージセンサ１２とを備えている。
【００２３】
本形態では、カード搬送路４において、図１等のＸ方向にカード２が搬送される。すなわち、Ｘ方向は、カード２の搬送方向である。また、Ｘ方向に直交するＺ方向は、カード搬送路４で搬送されるカード２の厚さ方向であり、Ｘ方向とＺ方向とに直交するＹ方向は、カード搬送路４で搬送されるカード２の幅方向（短手幅方向）である。以下の説明では、前後方向のうちの図１等のＸ１方向側を「前」側とし、その反対側である図１等のＸ２方向側を「後（後ろ）」側とする。また、左右方向のうちの図１等のＹ１方向側を「右」側とし、その反対側である図１等のＹ２方向側を「左」側とし、上下方向のうちの図１等のＺ１方向側を「上」側とし、その反対側である図１等のＺ２方向側を「下」側とする。
【００２４】
本体フレーム５の前端には、カード２が挿入されるとともに排出されるカード挿入口１７が形成されている。本体フレーム５は、本体フレーム５の右側面を構成する第１側板としての側板１８と、本体フレーム５の左側面を構成する第２側板としての側板１９とを備えている。側板１８、１９は平板状に形成されており、側板１８、１９の厚さ方向と左右方向とが一致するように配置されている。また、本体フレーム５は、カード搬送路４を構成する搬送ガイド４０を備えている。
【００２５】
本体フレーム５の後ろ上端側には、開閉フレーム６の回動中心となる支持軸４１が取り付けられている。支持軸４１は、支持軸４１の軸方向と左右方向とが一致するように、側板１８、１９に固定されている。開閉フレーム６は、開閉フレーム６によって本体フレーム５の後端側の上面を覆う閉位置（図１に示す位置）と、開閉フレーム６が支持軸４１を中心に回動して上側に開く開位置との間で本体フレーム５に対して回動可能となっている。
【００２６】
カード搬送機構３は、駆動源としてのモータ２０を備えている。また、カード搬送機構３は、複数の搬送ローラ対２１を備えている。搬送ローラ対２１は、カード搬送路４でカード２を搬送するための搬送ローラ２４、２５を備えている。搬送ローラ２４は、カード搬送路４に下側から臨んでおり、カード２の下面に接触する。搬送ローラ２５は、カード搬送路４に上側から臨んでおり、カード２の上面に接触する。搬送ローラ２４、２５および搬送ローラ２４、２５の周辺部分の具体的な構成については後述する。
【００２７】
磁気ヘッド８は、下側からカード搬送路４に臨むように配置され、磁気ヘッド９は、上側からカード搬送路４に臨むように配置されている。磁気ヘッド８のギャップ部と磁気ヘッド９のギャップ部とは、上下方向で対向している。ＩＣ接点ブロック１１およびイメージセンサ１２は、開閉フレーム６に固定されており、上側からカード搬送路４に臨むように配置されている。開閉フレーム６が開位置まで回動すると、ＩＣ接点ブロック１１およびイメージセンサ１２の画像読取部が外部に露出する。
【００２８】
（搬送ローラおよび搬送ローラの周辺部分の構成）
図３は、図２に示す搬送ローラ２４、２５および搬送ローラ２４、２５の周辺部分の構成を説明するための断面図である。図４は、図３に示す搬送ローラ２４の構成を説明するための断面図である。
【００２９】
搬送ローラ２４は、搬送ローラ２４の外周部を構成するゴム製のゴム輪２６と、ゴム輪２６を保持する芯部材（芯金）２７とから構成されるゴムローラである。ゴム輪２６は、円環状に形成されている。具体的には、ゴム輪２６は、扁平な円筒状に形成されている。ゴム輪２６の硬度は比較的低くなっている。ゴム輪２６は、カード２の下面に所定の接触圧で接触する。芯部材２７は、樹脂で形成されている。芯部材２７は、両端に鍔部（フランジ）２７ａ、２７ｂを有する鍔付きの扁平な円筒状に形成されている。芯部材２７は、円筒状に形成される基部２７ｃと、２個の鍔部２７ａ、２７ｂとから構成されている。ゴム輪２６は、基部２７ｃに軽圧入されて嵌め込まれており、鍔部２７ａと鍔部２７ｂとの間に配置されている。
【００３０】
基部２７ｃの外周面には、ゴム輪２６の内周面が接触している。すなわち、基部２７ｃには、ゴム輪２６の内周面が接触する外周面が形成されている。芯部材２７は、ゴム輪２６の内周側でゴム輪２６を保持している。図４に示すように、ゴム輪２６の内周面には、ゴム輪２６の径方向の内側に向かって突出する複数の突起２６ａが形成されている。複数の突起２６ａは、ゴム輪２６の周方向において一定のピッチで形成されている。基部２７ｃの外周面には、突起２６ａが係合する複数の凹部２７ｄが形成されている。
【００３１】
鍔部２７ａは、基部２７ｃの一端から芯部材２７の径方向の外側に鍔状に広がっている。鍔部２７ｂは、基部２７ｃの他端から芯部材２７の径方向の外側に鍔状に広がっている。すなわち、芯部材２７には、基部２７ｃの両端のそれぞれに繋がる鍔部２７ａ、２７ｂが形成されている。鍔部２７ａ、２７ｂは、円環状に形成されている。すなわち、鍔部２７ａ、２７ｂは、搬送ローラ２４の周方向の全域（ゴム輪２６の周方向の全域）に形成されている。鍔部２７ａには、ゴム輪２６の一方の端面が接触している。鍔部２７ｂには、ゴム輪２６の他方の端面が接触している。本形態の鍔部２７ａは、第１鍔部であり、鍔部２７ｂは、第２鍔部である。
【００３２】
鍔部２７ｂは、基部２７ｃと一体で形成されている。一方、鍔部２７ａは、基部２７ｃと別体で形成され、基部２７ｃに固定されている。鍔部２７ｂの外径は、鍔部２７ａの外径よりも小さくなっている。鍔部２７ｂの外径は、搬送ローラ２４の組立時に、鍔部２７ｂ側から芯部材２７にゴム輪２６を容易に嵌めることができる大きさに設定されている。鍔部２７ａの外径は、組立後のカードリーダ１においてゴム輪２６が芯部材２７から外れない大きさに設定されている。本形態では、鍔部２７ｂの外径は、ゴム輪２６の内径と外径との和を２で割った値よりも小さくなっており、鍔部２７ａの外径は、ゴム輪２６の内径と外径との和を２で割った値よりも若干大きくなっている。
【００３３】
搬送ローラ２５は、搬送ローラ２４と同形状に形成されている。すなわち、搬送ローラ２５は、搬送ローラ２４と同様に、搬送ローラ２５の外周部を構成するゴム輪２６と、ゴム輪２６を保持する芯部材２７とから構成されるゴムローラである。したがって、搬送ローラ２５の具体的な構成の説明は省略する。
【００３４】
搬送ローラ２４は、回転軸３０に取り付けられている。搬送ローラ２５は、回転軸３１に取り付けられている。回転軸３０、３１は、回転軸３０、３１の軸方向と左右方向とが一致するように配置されている。回転軸３０、３１は、芯部材２７の内周側に挿通されている。回転軸３０、３１には、図示を省略する平行ピンが取り付けられている。この平行ピンの両端部は、回転軸３０、３１の径方向において回転軸３０、３１から突出している。また、平行ピンの両端部は、芯部材２７に係合している。
【００３５】
そのため、回転軸３０と一緒に搬送ローラ２４が回転し、回転軸３１と一緒に搬送ローラ２５が回転する。また、回転軸３０、３１には、止め輪３２が取り付けられている。止め輪３２と平行ピンとによって、左右方向において、回転軸３０に対する搬送ローラ２４の移動が規制され、回転軸３１に対する搬送ローラ２５の移動が規制されている。
【００３６】
回転軸３０、３１の右端部は、側板１８に回転可能に支持されている。具体的には、回転軸３０、３１の右端部は、側板１８に取り付けられる軸受３３に回転可能に支持されており、軸受３３を介して側板１８に回転可能に支持されている。回転軸３０、３１の左端部は、側板１９に回転可能に支持されている。具体的には、回転軸３０、３１の左端部は、側板１９に取り付けられる軸受３３に回転可能に支持されており、軸受３３を介して側板１９に回転可能に支持されている。回転軸３０と回転軸３１との軸間距離は、固定となっている。すなわち、搬送ローラ２４と搬送ローラ２５との軸間距離は、固定となっている。
【００３７】
本形態では、１本の回転軸３０の両端側のそれぞれに搬送ローラ２４が取り付けられている。また、１本の回転軸３１の両端側のそれぞれに搬送ローラ２５が取り付けられている。すなわち、１本の回転軸３０には２個の搬送ローラ２４が取り付けられ、１本の回転軸３１には２個の搬送ローラ２５が取り付けられている。回転軸３０の右端側に取り付けられる搬送ローラ２４および回転軸３１の右端側に取り付けられる搬送ローラ２５はカード搬送路４の右端側に配置され、回転軸３０の左端側に取り付けられる搬送ローラ２４および回転軸３１の左端側に取り付けられる搬送ローラ２５はカード搬送路４の左端側に配置されている。
【００３８】
回転軸３０、３１には、プーリ、ベルトおよび歯車から構成される動力伝達機構によってモータ２０の動力が伝達されている。すなわち、本形態では、搬送ローラ２４と搬送ローラ２５との両方にモータ２０の動力が伝達されている。搬送ローラ２４と搬送ローラ２５とは所定の接触圧で接触している。具体的には、搬送ローラ２４のゴム輪２６と搬送ローラ２５のゴム輪２６とが所定の接触圧で接触している。カード２は、搬送ローラ２４と搬送ローラ２５とに挟まれた状態で搬送される。具体的には、カード２は、カード２の左右方向の両端部のそれぞれが搬送ローラ２４のゴム輪２６と搬送ローラ２５のゴム輪２６とに挟まれた状態で搬送される。
【００３９】
回転軸３０の両端側に取り付けられる２個の搬送ローラ２４の鍔部２７ａは、左右方向においてゴム輪２６の内側に配置されている。すなわち、回転軸３０の右端側に取り付けられる搬送ローラ２４の鍔部２７ａは、ゴム輪２６の左側に配置され、回転軸３０の左端側に取り付けられる搬送ローラ２４の鍔部２７ａは、ゴム輪２６の右側に配置されている。同様に、回転軸３１の両端側に取り付けられる２個の搬送ローラ２５の鍔部２７ａは、左右方向においてゴム輪２６の内側に配置されている。すなわち、回転軸３１の右端側に取り付けられる搬送ローラ２５の鍔部２７ａは、ゴム輪２６の左側に配置され、回転軸３１の左端側に取り付けられる搬送ローラ２５の鍔部２７ａは、ゴム輪２６の右側に配置されている。
【００４０】
回転軸３０の右端側に取り付けられる搬送ローラ２４の鍔部２７ｂ、および、回転軸３１の右端側に取り付けられる搬送ローラ２５の鍔部２７ｂは、側板１８の左側面１８ａと対向するように左側面１８ａに隣接配置されている。回転軸３０の左端側に取り付けられる搬送ローラ２４の鍔部２７ｂ、および、回転軸３１の左端側に取り付けられる搬送ローラ２５の鍔部２７ｂは、側板１９の右側面１９ａと対向するように右側面１９ａに隣接配置されている。
【００４１】
すなわち、左右方向における側板１８、１９の内側面である左側面１８ａおよび右側面１９ａは、鍔部２７ｂと隣り合っており、本体フレーム５には、鍔部２７ｂと隣り合う左側面１８ａおよび右側面１９ａが形成されている。カード搬送路４の右端側に配置される鍔部２７ｂと左側面１８ａとの左右方向の距離、および、カード搬送路４の左端側に配置される鍔部２７ｂと右側面１９ａとの左右方向の距離は、ゴム輪２６の幅（左右方向の幅）よりも狭くなっている。本形態の左側面１８ａおよび右側面１９ａは、鍔部２７ｂと隣り合う壁面である。
【００４２】
（本形態の主な効果）
以上説明したように、本形態では、鍔部２７ｂの外径は、鍔部２７ａの外径よりも小さくなっており、搬送ローラ２４、２５の組立時に、鍔部２７ｂ側から芯部材２７にゴム輪２６を容易に嵌めることができる大きさに設定されている。そのため、本形態では、組立後のカードリーダ１においてゴム輪２６が芯部材２７から鍔部２７ａ側に外れないように鍔部２７ａの外径が設定されていても、搬送ローラ２４、２５の組立時に鍔部２７ｂ側から芯部材２７にゴム輪２６を容易に嵌めることが可能になる。
【００４３】
また、本形態では、鍔部２７ｂは、側板１８の左側面１８ａまたは側板１９の右側面１９ａと隣り合っているため、搬送ローラ２４、２５の組立時にゴム輪２６を芯部材２７に容易に嵌めることができるように鍔部２７ｂの外径が小さくなっていても、組立後のカードリーダ１においてゴム輪２６が芯部材２７から鍔部２７ｂ側へ外れるのを左側面１８ａまたは右側面１９ａによって防止することが可能になる。したがって、本形態では、搬送ローラ２４、２５の組立時にゴム輪２６を芯部材２７に容易に嵌めることが可能であっても、組立後のカードリーダ１において比較的硬度の低いゴム輪２６が芯部材２７から外れるのを防止することが可能になる。
【００４４】
また、本形態では、組立後のカードリーダ１においてゴム輪２６が芯部材２７から鍔部２７ｂ側へ外れるのを、本体フレーム５の側面を構成する側板１８の左側面１８ａまたは側板１９の右側面１９ａを利用して防止することが可能になるため、芯部材２７からゴム輪２６が鍔部２７ｂ側に外れるのを防止するための部材が別途設けられている場合と比較して、カードリーダ１の構成を簡素化しつつ、芯部材２７からゴム輪２６が鍔部２７ｂ側に外れるのを防止することが可能になる。
【００４５】
本形態では、鍔部２７ａ、２７ｂは、円環状に形成されており、搬送ローラ２４、２５の周方向の全域に形成されている。そのため、本形態では、組立後のカードリーダ１において、芯部材２７からゴム輪２６が外れにくくなる。また、本形態では、ゴム輪２６の内周面に複数の突起２６ａが形成され、突起２６ａが係合する複数の凹部２７ｄが基部２７ｃの外周面に形成されているため、基部２７ｃの外周面とゴム輪２６の内周面との間の滑りを防止することが可能になる。
【００４６】
本形態では、鍔部２７ｂは、基部２７ｃと一体で形成されているが、鍔部２７ａは、基部２７ｃと別体で形成されて、基部２７ｃに固定されている。そのため、本形態では、鍔部２７ａおよび鍔部２７ｂの両方が基部２７ｃと一体で形成されている場合と比較して、たとえば、芯部材２７を形成するための金型の構成を簡素化することが可能になる。
【００４７】
（他の実施の形態）
上述した形態は、本発明の好適な形態の一例ではあるが、これに限定されるものではなく本発明の要旨を変更しない範囲において種々変形実施が可能である。
【００４８】
上述した形態において、鍔部２７ａが基部２７ｃと一体で形成されるとともに、鍔部２７ｂが基部２７ｃと別体で形成されて基部２７ｃに固定されていても良い。また、上述した形態において、鍔部２７ａおよび鍔部２７ｂが基部２７ｃと一体で形成されていても良いし、鍔部２７ａおよび鍔部２７ｂが基部２７ｃと別体で形成されて基部２７ｃに固定されていても良い。さらに、上述した形態において、芯部材２７は、樹脂で形成されていなくても良い。たとえば、芯部材２７は、アルミニウム合金等の金属で形成されていても良い。
【００４９】
上述した形態において、鍔部２７ａは、ゴム輪２６の周方向の全域に形成されていなくても良い。また、上述した形態において、鍔部２７ｂは、ゴム輪２６の周方向の全域に形成されていなくても良い。また、上述した形態において、１本の回転軸３０に１個の搬送ローラ２４が取り付けられ、１本の回転軸３１に１個の搬送ローラ２５が取り付けられていても良い。この場合には、左右方向におけるカード搬送路４の略中心位置に搬送ローラ２４、２５が配置されている。また、この場合には、搬送ローラ２４の鍔部２７ｂと隣り合う壁面、および、搬送ローラ２５の鍔部２７ｂと隣り合う壁面が本体フレーム５に形成されている。
【００５０】
上述した形態において、搬送ローラ２４または搬送ローラ２５のみにモータ２０の動力が伝達されていても良い。すなわち、たとえば、搬送ローラ２５がモータ２０の動力で回転する駆動ローラであり、かつ、搬送ローラ２４が搬送ローラ２５に向かって付勢される従動ローラであっても良い。この場合には、たとえば、搬送ローラ２４は、側板１８、１９に固定される固定軸に回転可能に保持されていても良い。
【符号の説明】
【００５１】
１  カードリーダ
２  カード
４  カード搬送路
５  本体フレーム
１８  側板（第１側板）
１８ａ  左側面（壁面、カードの幅方向における第１側板の内側面）
１９  側板（第２側板）
１９ａ  右側面（壁面、カードの幅方向における第２側板の内側面）
２４、２５  搬送ローラ
２６  ゴム輪
２６ａ  突起
２７  芯部材
２７ａ  鍔部（第１鍔部）
２７ｂ  鍔部（第２鍔部）
２７ｃ  基部
２７ｄ  凹部
３０、３１  回転軸
Ｙ  カードの幅方向
【図１】
2020107261.tif 000003
【図２】
2020107261.tif 000004
【図３】
2020107261.tif 000005
【図４】
2020107261.tif 000006